【事件の表示】
　特許第２７２４２１１号「コンピュータシステム」の請求項１ないし８に係る特許に対する特許異議の申立てについて、次のとおり決定する。
【結論】
　訂正を認める。
　特許第２７２４２１１号の請求項１に係る特許を維持する。
【理由】
１．手続きの経緯
　特許出願
　平成１年６月２６日
　特許権の設定の登録
　平成９年１１月２８日
　特許異議の申立て
　平成１０年９月９日
　取消理由通知
　平成１０年１２月７日
　訂正の請求及び意見書提出
　平成１１年３月９日
　取消理由通知（訂正拒絶理由通知兼用）
　平成１１年４月２７日
　平成１１年３月９日付け訂正請求の取り下げ
　平成１１年７月１２日
　訂正の請求及び意見書提出
　平成１１年７月１２日
　訂正拒絶理由通知
　平成１１年８月１９日
　手続補正
　平成１１年８月１９日
２．訂正の請求について
（１）訂正請求書の補正
　平成１１年８月１９日付け手続補正は、平成１１年７月１２日付け訂正請求書の第２頁第１３行目乃至同頁第２６行目「（１）プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は電源オフ時に於いても、前記電源ユニットの異常状態を含み状態表示を行なうことを特徴とするコンピュータシステム。」を、「（１）プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうことを特徴とするコンピュータシステム。」と補正し（補正事項▲１▼）、
同請求書第４頁第２６行目乃至同頁第２８行目
「上記訂正事項ａの「電源状態を含む装置の状態を表示する複数の表示部とを具備し、特定の表示部は電源オフ時に於いても、前記電源ユニットの異常状態を含み状態表示を行なう」は、」を、
「上記訂正事項ａの「電源状態を含む装置の状態を表示する複数の表示部とを具備し、特定の表示部は上記電源オフ時に於いても、充電異常の際に異常状態を示す表示を行なう」は、」と補正し（補正事項▲２▼）、
同請求書第３頁第１５行目乃至同頁第１６行目
「特定の表示部は電源オフ時に於いても、前記電源ユニットの異常状態を含み状態表示を行なうようにした。」を「特定の表示部は上記電源オフ時に於いても、充電異常の際に異常状態を示す表示を行なうようにした。」と補正し（補正事項▲３▼）、同請求書第４頁第２０行目乃至同頁第２１行目
「特定の表示部は電源オフ時に於いても、前記電源ユニットの異常状態を含み状態表示を行なうようにしたから、」を「特定の表示部は上記電源オフ時に於いても、充電異常の際に異常状態を示す表示を行なうようにしたから、」と補正する（補正事項▲４▼）ものである。
　上記補正事項▲１▼は、特許請求の範囲の減縮を目的とするものであり、上記補正事項▲３▼▲４▼は、補正事項▲１▼との整合を図るためのものであって、明りょうでない記載の釈明を目的とするものであり、上記補正事項▲２▼は、請求の理由を補正するものであるから、当該訂正請求書の補正は、訂正請求書の要旨を変更するものではなく、特許法第１２０条の４第３項において準用する同法第１３１条第２項の規定に適合する。
（２）訂正の内容
　特許権者が求めている訂正は、次のとおりである。
ア．特許請求の範囲の訂正
　特許請求の範囲の請求項１乃至８の記載を、「（１）プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうことを特徴とするコンピュータシステム。」と訂正する。
イ．発明の詳細な説明の訂正
▲１▼明細書第５頁２行目乃至同書第８頁第１９行目記載の「本発明は、携行が容易で、かつ充電可能な・・・装置を常に正常な状態に保つことができる。」を、「本発明のパーソナルコンピュータシステムは、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうようにした。
　これにより、例えば電源オフ状態にある際も電源ユニットの異常状態等を外部へ表示でき、オペレータに認識させることができるので、装置を常に正常な状態に保つことができる。」と訂正する。
▲２▼明細書第１２頁第１行目記載の「２１はにら制御部」を「２１はＩＯ制御部」と訂正する。
▲３▼明細書第１３頁第２０行目記載の「３５は」を「３６は」と訂正する。
▲４▼明細書第２５頁第１５行目記載の「第３図」を「第４図」と訂正する。
▲５▼明細書第２５頁第１８行目記載の「第３図」を「第４図」と訂正する。
▲６▼明細書第２６頁第３行目記載の「ネクタ４０」を「ネクタ３４」と訂正する。
▲７▼明細書第２６頁第４行目記載の「コネクタ４０」を「コネクタ３４」と訂正する。
▲８▼明細書第３８頁１４行目乃至同書第４２頁第１９行目記載の「以上詳記したように本発明によれば、携行が容易で、・・・操作性及び信頼性の向上が図れる。」を、「以上詳記したように本発明によれば、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうようにしたから、例えば電源オフ状態にある際も電源ユニットの異常状態等を外部へ表示でき、オペレータに認識させることができるので、装置を常に正常な状態に保つことができる。」と訂正する。
（３）訂正の目的の適否、新規事項の有無及び拡張・変更の存否
　上記訂正ア．は、特許明細書第３頁第１２行目乃至同頁第１５行目に記載される請求項８、及び同書第１６頁第１０行目乃至第１４行目の記載に基づくものであって、特許請求の範囲の減縮に該当し、特許明細書又は図面に記載した事項の範囲内のものであり、また実質的に特許請求の範囲を拡張又は変更するものでもない。
　また、上記訂正イ．▲１▼及び▲８▼は、特許請求の範囲の訂正に伴って、特許明細書又は図面に記載した事項の範囲内において明細書の明りょうでない記載の釈明をしたものであり、実質的に特許請求の範囲を拡張又は変更するものでもない。
　さらに、上記訂正イ．▲２▼〜▲７▼は、誤記の訂正であって、特許明細書又は図面に記載した事項の範囲内のものであり、また実質的に特許請求の範囲を拡張又は変更するものでもない。
（４）独立特許要件の判断
　訂正明細書の請求項１に係る発明は、その特許請求の範囲の請求項１に記載された事項により特定される次のとおりのものである。
　「プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうことを特徴とするコンピュータシステム。」
　本件特許発明に対して、当審が通知した平成１１年４月２７日付けの取消理由で引用した刊行物１−１０（以下、引用刊行物１−１０という。）及び特許異議申立人が提示した甲第２、３、７、９号証刊行物には、それぞれ、次の発明が記載されている。
・引用刊行物１（特開昭６０−２２５９２３号公報：特許異議申立人が提出した甲第１号証刊行物）
　《メイン処理を担当するメインＣＰＵと、充電可能な電池と、電源電圧低下検出回路を介して電池電圧の監視を行い、該電圧が規定値以下になったときメインＣＰＵに割込信号を発生し、パワーＳＷの状態及びメインＣＰＵの信号に応じてメイン電源の制御を行うサブＣＰＵと、サブＣＰＵの制御によりスキャンされるキーボードユニットとを具備し、メインＣＰＵは、サブＣＰＵから電源異常割込を受けると、再開に必要な情報を状態退避用エリアに退避すると共に、電源異常の表示を行う情報処理装置。》
・引用刊行物２（特開昭６３−３１６１１８号公報）
　《情報処理装置に接続されるキーボードであって、キーボード制御用のマイクロプロセッサを内蔵させたキーボード。》
・引用刊行物３（特開平１−１４４３２８号公報）
　《充電型電池を備えた情報機器等の充電制御装置であって、マイクロプロセッサに入力される電池の放電電圧に応じて充電電流を制御する充電制御装置。》
・引用刊行物４（特開昭６２−１６９２１８号公報：特許異議申立人が提出した甲第４号証刊行物）
　《電源オフ・シーケンス中にシステム中断ＮＭＩ信号が発生すると、システム・プロフイル域を読み取って、再開モードが設定されているか否か、電源異常時に使用される「強制」再開が設定されているか否かに応じてシステム状態の保管を行う情報処理システム。》
・引用刊行物５（実願昭６０−１７２５４８号（実開昭６２−８１９８４号）のマイクロフィルム：特許異議申立人が提出した甲第５号証刊行物）
　《キー操作が無い場合、表示装置への電源供給を停止する携帯用パーソナルコンピュータ。》
・引用刊行物６（特開平１−１０２６１１号公報）
　《ＣＰＵおよび複数のユニットがシステムバスに接続された構成を有すると共に、セットアップメニューによりデバイス機器の接続状態の設定を行うコンピュータシステム。》
・引用刊行物７（実願昭６０−５７２９７号（実開昭６１−１７３９９２号）のマイクロフィルム：特許異議申立人が提出した甲第６号証刊行物）
　《通常表示と反転表示を、外部から任意に切り替え制御する手段を有する表示装置。》
・引用刊行物８（特開昭６２−１６９２１９号公報：特許異議申立人が提出した甲第８号証刊行物）
　《割込要求がないときには、ＣＰＵのクロックを停止させて電力消費の軽減させる情報処理システム。》
・引用刊行物９（特開昭６２−２８８６４号公報）
　《表示部兼用の蓋部を備えた携帯型コンピュータであって、携帯中に誤ってパワースイッチがオンすることがないようにすると共に、場合によっては、電源オンの状態で蓋を閉じることができることを目的として、蓋部が閉じた状態では、蓋部の開閉に連動するスイッチにより他の割込を禁止する状態にした携帯型コンピュータ。》
・引用刊行物１０（特開平１−１２８１１３号公報：特許異議申立人が提出した甲第１０号証刊行物）
　《外部電源及び内蔵電池で動作可能な小型電気機器であって、電源の状態を、電源のオフ時にも表示する小型電気機器。》
・甲第２号証刊行物（特開平１−１４２９１１号公報）
　《充電型電池を備えた情報機器等の電源制御装置であって、該電池により駆動されるマイクロプロセッサを用いて、該電池電圧の監視、電源供給制御、電源異常状態の表示制御を行う電源制御装置。》
・甲第３号証刊行物（特開昭６３−２８８３０９号公報）
　《バッテリの電圧を常時受けながら、バッテリの電圧を監視し、電子機器のパワースイッチを制御する電子機器の電源スイッチング回路。》
・甲第７号証刊行物（ＮＥＣＰＣ−１００ｓｅｒｉｅｓユーティリティマニュアル；１９８３年発行）
　《ディスクドライブの接続状態の変更をコマンドで行うディスク管理装置。》
・甲第９号証刊行物（実願昭６１−１３４８７号（実開昭６２−１２５９２７号）のマイクロフィルム）
　《平板ディスプレイの開閉状態に応じて、平板ディスプレイを含む入出力回路への電源供給を遮断する携帯型情報処理装置。》
　本件訂正明細書の請求項１に係る発明と上記引用刊行物１−１０及び甲第２、３、７、９号証刊行物に記載された発明とを対比すると、上記刊行物に記載された発明は、本件訂正明細書の請求項１に係る発明の構成に欠くことができない事項である「電源状態を含む装置の状態を表示する複数の表示部とを具備し、特定の表示部は上記電源オフ時に於いても、充電異常の際に異常状態を示す表示を行なう」点、すなわち、装置の状態を表示する表示部が、電源オフ時に於いても充電異常状態を表示する点を有しておらず、しかも、この点は、上記刊行物に記載された発明に基づいて当業者が容易になしえたこととも認められない。そして、本件訂正明細書の請求項１に係る発明は、上記事項を具備することにより明細書に記載された効果を有する。
　したがって、本件訂正明細書の請求項１に係る発明に係る発明は、上記引用刊行物１−１０または甲第２、３、７、９号証刊行物に記載された発明であるとも、上記刊行物に記載された発明に基づいて、当業者が容易に発明をすることができたものとも認められない。
　また、本件訂正明細書の請求項１に係る発明について、他に特許出願の際独立して特許を受けることができない発明であるとすべき理由を発見しない。
（５）むすび
　以上のとおりであるから、上記訂正の請求は、特許法第１２０条の４第２項及び同条第３項において準用する同法第１２６条第２−４項の規定に適合するので、当該訂正を認める。
３．特許異議の申立てについて
（１）申立ての理由の概要
　特許異議申立人渡部廣美の主張は次のとおりである。
ａ．本件特許登録時の請求項１−８に係る発明は、甲第１−１０号証刊行物に記載された発明に基づいて当業者が容易に発明をすることができたものであるから、特許法第２９条第２項の規定により特許を受けることができないものであり、その特許は取り消すべきものである。
ｂ．本件特許登録時の請求項６および７に係る発明についての特許は、特許法第３６条第６項に規定する要件を満たしていない特許出願に対してなされたものであるから、その特許は取り消すべきものである。
（２）本件発明
　本件特許発明は、平成１１年６月７日付けで提出され、同年８月１９日付けで補正された訂正明細書の特許請求の範囲の請求項１に記載された事項により特定される次のとおりのものである（以下、本件請求項１に係る発明という。）。
　「プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は上記電源オフ時に於いても、充電異常の際に異常状態を示す表示を行なうことを特徴とするコンピュータシステム。」
（３）判断
理由ａについて
　上記２．（４）で述べたように、本件請求項１に係る発明は、甲第１−１０号証刊行物に記載された発明であるとも、甲第１−１０号証刊行物に記載された発明に基づいて当業者が容易に発明をすることができたものともいえない。
理由ｂについて
　本件特許登録時の請求項６および７は、訂正により削除された。また本件請求項１に係る発明は、特許異義申立人の指摘する不備を有していない。
（４）むすび
　以上のとおりであるから、特許異議申立ての理由及び証拠によっては、本件請求項１に係る発明についての特許を取り消すことはできない。
　また、他に本件請求項１に係る発明についての特許を取り消すべき理由を発見しない。
　よって、結論のとおり決定する。
【異議決定日】
平成１１年９月７日（１９９９．９．７）
【訂正の要旨】
訂正の要旨
ａ．明細書の特許請求の範囲の請求項１乃至８の記載を特許請求の範囲の減縮を目的として、以下の通り訂正する。
「（１）プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、
電源状態を含む装置の状態を表示する複数の表示部とを具備し、特定の表示部は上記電源オフ時に於いても、充電異常の際に異常状態を示す表示を行なう
ｂ．特許請求の範囲の記載と発明の詳細な説明の記載との整合を図るため、明瞭でない記載の釈明を目的として、明細書第５頁２行目乃至同書第８頁第１９行目記載の「本発明は、携行が容易で、かつ充電可能な・・・装置を常に正常な状態に保つことができる。」を以下の通り訂正する。
「本発明のパーソナルコンピュータシステムは、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は
上記
充電異常の際に異常状態を示す
　これにより、例えば電源オフ状態にある際も電源ユニットの異常状態等を外部へ表示でき、オペレータに認識させることができるので、装置を常に正常な状態に保つことができる。」
ｃ．明細書第１２頁第１行目記載の「２１はにら制御部」を誤記の訂正を目的として「２１はＩＯ制御部」と訂正する。
ｄ．明細書第１３頁第２０行目記載の「３５は」を誤記の訂正を目的として「３６は」と訂正する。
ｅ．明細書第２５頁第１５行目記載の「第３図」を誤記の訂正を目的として「第４図」と訂正する。
ｆ．明細書第２５頁第１８行目記載の「第３図」を誤記の訂正を目的として「第４図」と訂正する。
ｇ．明細書第２６頁第３行目記載の「ネクタ４０」を誤記の訂正を目的として「ネクタ３４」と訂正する。
ｈ．明細書第２６頁第４行目記載の「コネクタ４０」を誤記の訂正を目的として「コネクタ３４」と訂正する。
ｉ．特許請求の範囲の記載と発明の詳細な説明の記載との整合を図るため、明瞭でない記載の釈明を目的として、明細書第３８頁１４行目乃至同書第４２頁第１９行目記載の「以上詳記したように本発明によれば、携行が容易で、・・・操作性及び信頼性の向上が図れる。」を以下の通り訂正する。
　「以上詳記したように本発明によれば、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は
上記
充電異常の際に異常状態を示す
（５４）【発明の名称】
コンピュータシステム
（５７）【特許請求の範囲】
　（１）．プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、
電源状態を含む装置の状態を表示する複数の表示部とを具備し、特定の表示部は上記電源オフ時に於いても、充電異常の際に充電異常を示す表示を行なう
【発明の詳細な説明】
［発明の目的］
（産業上の利用分野）
　本発明は、携行が容易で、かつ充電可能な内蔵バッテリィにより動作可能なパーソナルコンピュータシステムに関する。
（従来の技術）
　近年、携行が容易で、かつ充電可能な内蔵バッテリィにより動作可能なパーソナルコンピュータが広く普及し、機能及び性能も急速に向上してきた。
　この種コンピュータシステムに於ける課題としては、広範囲に亘る使用者を対象としたとき、装置自体が自装置の状態を常に認識して装置を常に正常な状態に保つ機能、異常発生時のデータ保存機能、システム立上げ時等に於けるオペレータ操作の簡素化、操作機構（スイッチ類等）の簡素化、内蔵バッテリィ電源の電力消費量低減化等が挙げられる。
（発明が解決しようとする課題）
　本発明は上記課題を解決して、高度の機能及び性能を有し、広範囲に亘る使用者を対象に、容易に操作が可能な信頼性の高い情報処理機能をもつコンピュータシステムを提供することを目的とする。
［発明の構成］
（課題を解決するための手段及び作用）
　本発明のパーソナルコンピュータシステムは、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は
上記
充電異常の際に異常状態を示す
　これにより、例えば電源オフ状態にある際も電源ユニットの異常状態等を外部へ表示でき、オペレータに認識させることができるので、装置を常に正常な状態に保つことができる。
（実施例）
　以下図面を参照して本発明の一実施例を説明する。
　第１図は本発明の一実施例に於けるシステム構成を示すブロック図である。
　第１図に於いて、１０はメインＣＰＵ１１を含む各種のシステム構成要素相互の間を接続するシステムバスであり、１０Ａはバスドライバ（ＢＵＳ−ＤＲＶ）、１０Ｂはバスコントローラ（ＢＵＳ−ＣＮＴ）である。１１はシステム全体の制御を司るメインＣＰＵであり、ここでは、動作クロックの切替えにより２種の動作速度（高速クロック動作モード／低速クロック動作モード）を選択でき、第７図乃至第１０図に示すセットアップ処理とそれに付随する処理（表示自動停止処理、表示ノーマル／リバース制御処理、機器接続設定処理）、更には第１２図乃至第１５図に示すようなレジューム（ＲＥＳＵＭＥ）処理とそれに付随する処理（ＮＭＩ処理、システムブート処理）等を実行する。このＣＰＵ１１は後述する電源回路３０のパワーコントロールＣＰＵ３０６からみたときホストＣＰＵとなる。
　１２はＣＰＵ１１の制御の下にアクセスされる、固定プログラム等が格納されるＲＯＭ（ＳＹＳ−ＲＯＭ）である。
　１３は処理対象となるプログラム、データ等が格納されるＲＡＭ（ＳＹＳ−ＲＡＭ）であり、ここでは、第１６図（ａ）乃至（ｃ）に示すように、１．５ＭＭＢで構成され、そのうち、６４０ＫＢを主メモリ１３１、残る８９６ＫＢを所謂ハードＲＡＭ（ＥＭＳ方式）１３２として、システム終了時に、ＯＳ（ＭＳ−ＤＯＳ）を主メモリ１３１からハードＲＡＭ１３２にセーブし、システム立上げ時に、ハードＲＡＭ１３２から主メモリ１３１ヘロードして、システムの高速スタートを実現している。
　１４は、ダイレクトメモリアクセス制御を行なうＤＭＡコントローラ（ＤＭＡＣ；Ｄｉｒｅｃｔ　Ｍｅｍｏｒｙ　Ａｃｃｅｓｓ　Ｃｏｎｔｒｏｌｌｅｒ）１４Ａ、プログラムにより設定可能な割込みコントローラ（ＰＩＣ；Ｐｒｏｇｒａｍｍａｂｌｅ　Ｉｎｔｅｒｒｕｐｔ　Ｃｏｎｔｒｏｌｌｅｒ）１４Ｂ、独自の動作用電池をもつ時計モジュール（ＲＴＣ；Ｒｅａｌ−Ｔｉｍｅ　Ｃｌｏｃｋ）１４Ｃ、フロッピィディスクコントローラ（ＦＤＣ）１４Ｄ、入出力インターフェイス（ＵＡＲＴ；Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）１４Ｅ等を設けてなるＳＩ（Ｓｕｐｅｒ　Ｉｎｔｅｇｒａｔｉｏｎ）である。１５はレジューム機能を実現するためのデータ保存域となるバックアップＲＡＭであり、電源オフ時に於いてバックアップ電源（ＶＢＫ）が供給される。
　１６は本体の専用カードスロットに挿抜可能なＩＣメモリカードを使用した拡張ＲＡＭであり、電源オフ時に於いてバックアップ電源（ＶＢＫ）が供給される。
　１７はゲートアレイ（ＧＡ）で構成されたメモリコントローラ（ＥＭＣ）であり、ＲＡＭ１３、拡張ＲＡＭ１６、更には漢字ＲＯＭ１８等をアクセス制御するもので、ここでは、後述する電源回路（第２図参照）３０をシステムバス１０を介してＣＰＵ１１にインターフェイス接続するための電源制御インターフェイス機能をもつ。
　１８は漢字文字コードから漢字文字パターンを得る漢字ＲＯＭ、１９は仮名／漢字変換辞書等を実現する辞書ＲＯＭである。２１は
ＩＯ
　２３はマイクロプロセッサ（ＫＢ−ＣＰＵ）を内蔵し、同プロセッサの制御により常時スキャンを行ない、入力情報を非同期に上記メインＣＰＵ１１へ転送するキーボードユニット（ＫＢ）である。
　２４は表示コントローラ（ＤＩＳＰ−ＣＮＴ）であり、ビデオＲＡＭ（Ｖ−ＲＡＭ）２５、キャラクタジェネレータ（ＣＧ−ＲＯＭ）をアクセス制御して表示出力データを得る。２５は表示コントローラ２４によりアクセスされるビデオＲＡＭ（Ｖ−ＲＡＭ）であり、電源オフ時に於いてバックアップ電源（ＶＢＫ）が供給される。
　２９は商用交流電源（ＡＣ）を整流・平滑して所定電位の直流動作用電源を得る電源アダプタ（以下ＡＣアダプタと称す）であり、パーソナルコンピュータ本体にプラグイン接続される。
　３０はパワーコントロールＣＰＵ（ＰＣ−ＣＰＵ）を備えたインテリジェントパワーサプライ（以下電源回路と称す）であり、この電源回路３０の構成は第２図を参照して後述する。３１Ａは充電可能な電池により構成されたパック形式の着脱自在なメインバッテリィ（Ｍ−ＢＡＴＴ）、３１Ｂは同じく充電可能な電池により構成された本体内蔵形のサブバッテリィ（Ｓ−ＢＡＴＴ）である。
　３２はフロッピィディスクコントローラ１４Ｄに接続される、装置本体内に設けられたフロッピィディスクドライブ（ＩＮＴ−ＦＤＤ）、３３は入出力インターフェイス１４Ｅに必要に応じて接続されるＲＳ−２３２Ｃインターフェイス機器である。３４は拡張ユニットが選択的に接続される拡張用コネクタである。３５はローバッテリィ状態を含む電源異常状態、装置の異常状態等をビープ（ｂｅｅｐ）によって報知するためのスピーカ（ＳＰＸ）であり、ここではバスコントローラ１０Ｂの出力信号により駆動制御される。
　
３６
　第２図は上記電源回路３０の構成を示すブロック図である。
　図中、３０１は電源スイッチ、３０２はリセットスイッチ、３０３はディスプレイ開閉検出スイッチ、３０４は拡張ユニットに設けられる準備完了設定スイッチである。３０５はこれら各スイッチ３０１，３０２，３０３，３０４の状態、及び後述するパワーコントロールＣＰＵ３０６の設定情報を保持するパラレルＩ／Ｏである。
　３０６は装置全体の電源を集中管理するパワーコントロールＣＰＵであり、内部バス３０７を介して電源回路各部の情報、及びメインＣＰＵ１１の指示情報等を入力し、メインＣＰＵ１１の指示、内部の状態、外部の操作状態等により装置内各部の電源供給をコントロールするもので、第３図及び第４図に示すような処理機能をもつ。
　３０８はＬＣＤ表示部３７のバックライト電源（バックライト光量）をコントロールするバックライトコントロール回路であり、光量調整用可変抵抗器の設定状態に応じたバックライト駆動電源を出力し、セットアップ画面で表示自動停止機能が設定されているときはパワーコントロールＣＰＵ
３０６
　３０９はパワーコントロールＣＰＵ３０６の制御の下に、電源投入状態及び動作速度表示用ＬＥＤ（第５図（ａ）のＬ１）、ロウバッテリィ状態表示用ＬＥＤ（第５図（ａ）のＬ２）、ＡＣアダプタ接続状態表示用ＬＥＤ（第５図（ａ）のＬ３）等を含む各種のＬＥＤを点灯駆動制御するＬＥＤドライバであり、ここでは、各ＬＥＤに、赤と緑の２色表示が可能なものを用い、その一方又は双方を選択的にドライブ制御して、色別表示を行なっている。即ち、具体例を挙げると、ＬＥＤ（Ｌ１）は、電源投入状態で、かつ高速クロック動作時に緑色点灯駆動され、低速クロック動作時に赤色点灯駆動される。又、ＬＥＤ（Ｌ２）は、ロウバッテリィ状態時に赤色点滅駆動され、急速充電状態時に燈（赤＋緑）色点灯駆動され、充電完了状態時に緑色点灯駆動される。又、ＬＥＤ（Ｌ３）は、ＡＣアダプタ２９の有効接続状態時に赤色点灯駆動され、ＡＣアダプタ２９の有効接続状態下で、かつ電源回路３０の異常状態時に赤色点滅駆動される。
　３１０はパワーコントロールＣＰＵ３０６から出力されたディジタル量のチャージコントロールデータをアナログ量の信号に変換しメインバッテリィ３１Ａ用のチャージユニット３１１に供給するＤ／Ａ変換器である。３１１はパワーコントロールＣＰＵ３０６の制御の下にＤ／Ａ変換器３１０より出力されるチャージコントロール信号に従いメインバッテリィ３１Ａをチャージするチャージユニットである。３１２はメインバッテリィ３１Ａのチャージ電流を含む装置内の総合電流を検出する電流検出器である。３１４は装置内の回路に流れる電流（バックアップ電流を除く）を検出する電流検出器である。３１５は電流検出器３１４を経たＡＣアダプタ２９の電源又はメインバッテリィ３１Ａの電源から装置内の各部動作電源を得るＤＣ−ＤＣコンバータである。３１６は電流検出器３１２，３１４の各検出電流値、メインバッテリィ３１Ａの出力電圧、ＤＣ−ＤＣコンバータ３１５の出力電圧等をディジタルデータとしてパワーコントロールＣＰＵ３０６に供給するためのアナログ／ディジタル変換を行なうＡ／Ｄ変換器である。３１７はパワーコントロールＣＰＵ３０６とメインＣＰＵ１１との間で情報を送受するためのシリアルＩ／Ｏである。３１８はサブバッテリィ３１Ｂをチャージするチャージユニットである。３１９はメインバッテリィ３１Ａとサブバッテリィ３１Ｂの各電源を受けてバックアップ電源（ＶＢＫ）を得るＤＣ−ＤＣコンバータである。
　第３図及び第４図はそれぞれパワーコントロールＣＰＵ３０６の処理フローを示すフローチャートである。このうち、第３図はパワーオフ時の処理ルーチンを示し、第４図はパワーオン時の処理ルーチンを示す。
　第５図は本発明の一実施例に於ける装置の外観構成を示したもので、同図（ａ）は表示部（ディスプレイ）筐体が開いた状態を示す斜視図、同図（ｂ）は表示部（ディスプレイ）筐体が閉じられた状態を示す斜視図である。第５図に於いて、１は装置本体、１ａは押し釦式電源スイッチ３０１の操作釦３０１ａを囲むように装置本体１の側面に突出形成された障壁部である。この障壁部１ａにより、携行中等に誤って電源スイッチ３０１が操作される不都合な状態を回避し、意識的に押圧操作した時のみスイッチ操作が可能な構造としている。又、Ｌ１，Ｌ２，Ｌ３はそれぞれドライバ３０９により表示ドライブされるＬＥＤである。このうち、Ｌ１は電源投入状態及び動作速度表示用のＬＥＤ、Ｌ２はロウバッテリィ状態表示用のＬＥＤ、Ｌ３はＡＣアダプタ接続状態表示用のＬＥＤであり、それぞれ装置本体１に形成された直方状突出部１ｂの前壁部と上壁部で形成される稜部に前壁部と上壁部にかかって配列された逆Ｌ字状表示窓の内部に設けられる。従って上記各ＬＥＤの表示状態は表示部筐体が開いているときだけでなく表示部筐体が閉じているときでも容易に外部から識別できる。
　第６図は上記実施例に於けるＬＥＤの状態表示例を示す図である。
　第７図乃至第１０図はそれぞれＣＰＵ１１の制御の下に実行されるセットアップ処理とそれに関係する処理の各ルーチンを示すフローチャートであり、このうち、第７図はセットアップ処理ルーチンを示し、第８図は表示自動停止処理ルーチンを示し、第９図は表示ノーマル／リバース処理ルーチンを示し、第１０図は機器接続（Ａ−Ｂ−ＰＲＴ）処理ルーチンを示す。
　第１１図は上記実施例に於けるセットアップ画面の一例を示す図である。
　第１２図は上記実施例に於ける電源異常時のレジューム処理を含むレジューム処理手段を説明するためのブロック図である。
　第１２図に於いて、セットアップ時等に於けるレジューム設定手段により、レジューム機能の“有効／無効”が設定されると、そのレジューム設定内容がメインＣＰＵ１１の管理するレジュームモードフラグに保持され（第１３図参照）、その保持内容がシステムの立ち上げ、動作終了等の度に参照される（第１４図，第１５図参照）。
　一方、電源回路３０に設けられたパワーコントロールＣＰＵ３０６は、装置電源のオン／オフ状態に拘らず、常時、装置内部の電源状態を監視して、ローバッテリィ状態を含む電源異常を検出すると、電源異常の発生とその内容を示す電源異常情報を電源制御インターフェイス機能をもつメモリコントローラ１７に出力する（第３図及び第４図参照）。
　電源制御インターフェイス機能もつメモリコントローラ１７は上記電源異常情報を受けると、その電源異常情報の内容に伴うＮＭＩ（禁止不可能割り込み）を発生し、メインＣＰＵ１１に送出する。
　メインＣＰＵ１１はメモリコントローラ１７を介してＮＭＩを受け付けると、そのＮＭＩがローバッテリィ状態のＮＭＩであるときは、レジュームモードフラグの内容に拘らず、レジューム機能を起動して、ＣＰＵレジスタ、各種ＬＳＩ情報等を含む状態再現が可能なシステム情報をバックアップＲＡＭ１５に保存する。
　又、通常の動作終了によるＮＭＩ（パワースイッチオフＮＭＩ）に対しては、レジュームモードフラグを参照し、同フラグがオン（“有効”）となっていれば、レジューム処理を実行し、同フラグがオフ（“無効”）となっていれば、レジューム処理を実行せず、電源遮断処理（パワーオフ処理）に入る（第１４図参照）。システム立ち上げ時のシステムプレート処理ではレジュームモードフラグを参照し、同フラグがオン（“有効”）となっていれば、バックアップＲＡＭ１５の保存情報をもとにシステム情報を復元しシステム（ＣＰＵ１１の処理）へ制御を移す（第１５図参照）。
　第１３図乃至第１５図はそれぞれメインＣＰＵ１１により実行される処理フローを示すフローチャートであり、第１３図はレジューム設定処理ルーチンを示し、第１４図はＮＭＩ処理ルーチンを示し、第１５図はシステムブート処理ルーチンを示す。
　第１６図はＲＡＭ１３の構成を示すブロック図であり、同図（ａ）はＲＡＭ領域の割り付け状態を示す図、同図（ｂ）はシステム実行時の状態を示す図、同図（ｃ）はシステム終了時の状態を示す図である。図中、１３１は主メモリ、１３２はハードＲＡＭである。
　ここで第２図乃至第６図を参照して電源回路３０のパワーコントロールＣＰＵ３０６に関係する処理動作を説明する。
　電源回路３０のパワーコントロールＣＰＵ３０６は電源スイッチ３０１の操作状態を常時監視している。
　即ち、パワーコントロールＣＰＵ３０６は、装置が電源オフ（パワーオフ）状態にあるとき、第３図に示すような処理ルーチンを実行し、装置が電源オン（パワーオン）状態にあるとき、第４図に示すような処理ルーチンを実行して、電源スイッチ３０１の操作状態と、電源及び装置の状態を常時監視している。
　装置がパワーオフ状態にあるとき、電源スイッチ３０１が操作されると、そのスイッチ操作の状態がパラレルＩ／Ｏ３０５に保持され、その状態が所定の処理タイミングでパワーコントロールＣＰＵ３０６に読み込まれて、電源スイッチ３０１の操作されたことが認識される（第３図ステップＡ１３）。この際は、電源スイッチ３０１の操作されたことが認識される度に、電源スイッチ３０１の操作時間を認識するための所定のカウンタ（ＣＴＲ）が更新（＋１）され（第３図ステップＡ１４）、その更新したカウント値が設定値（Ｎ）に達するまで、第３図に示すステップＡ１〜Ａ１５の処理が繰り返し実行される。
　即ち、ステップＡ１では、メインバッテリィ３１Ａが正常電圧を維持しているか否かが判断され、ステップＡ４では、ＡＣアダプタ２９の出力電源が正常であるか否かが判断され、ステップＡ６では充電電流が正常であるか否かが判断され、ステップＡ８ではチャージユニット３１１の出力電圧が正常範囲にあるか否かが判断される。
　ここで、電源状態の異常が検出されると、その異常状態がＬＥＤ（Ｌ２）の赤色点滅駆動によって外部表示される（第３図ステップＡ２）。
　又、ＡＣアダプタ２９の有効接続状態時に於いてはＬＥＤ（Ｌ３）が赤色点灯駆動され（第３図ステップＡ５）、充電電流が正常であるとき、充電状態にあるときはＬＥＤ（Ｌ２）が燈（赤＋緑）色点灯駆動、又、充電完了状態であれば緑色点灯駆動される（第３図ステップＡ７）。又、この際、充電電流が正常であれば、充電電圧が常に適正となるように、パワーコントロールＣＰＵ３０６の制御の下にチャージユニット３１１が制御される。（第３図ステップＡ８〜Ａ１１）。
　上記電源スイッチ３０１が、上記したような処理ステップを繰り返し実行している際に継続して操作され、上記カウンタ（ＣＴＲ）の値が設定値（Ｎ）に達すると、第４図に示すパワーオン時の処理ルーチンに入り、パワーオン処理が実行される（第４図ステップＢ２）。
　このように、パワーコントロールＣＰＵ３０６は、装置が電源オフ（パワーオフ）状態にあるとき、第３図に示すような処理ルーチンを実行して、電源スイッチ３０１の操作状態と、電源及び装置の状態を常時監視し、電源及び装置の状態を外部表示する。
　又、装置がパワーオン状態にあるとき、電源スイッチ３０１が操作されると、そのスイッチ操作の状態が上記したパワーオフ処理ルーチンのときと同様にして、その状態がパワーコントロールＣＰＵ３０６に読み込まれて、電源スイッチ３０１の操作されたことが認識され（第
４
４
　即ち、パワーオン処理ルーチンでは、拡張用コネクタ
３４
３４
　尚、この際、メインＣＰＵ１１は、電源制御インターフェイス機能をもつメモリコントローラ１７を介して、パワーコントロールＣＰＵ３０６から電源をオフする旨の情報を受けると、レジューム機能の設定情報を認識し、レジューム設定状態にあるときはバックアップＲＡＭ１５を用いたレジューム処理を終了して後、応答情報をメモリコントローラ１７を介してパワーコントロールＣＰＵ３０６に返す。
　このように、パワーコントロールＣＰＵ３０６は、装置が電源オフ（パワーオフ）状態にあるとき、第３図に示すような処理ルーチンを実行し、装置が電源オン（パワーオン）状態にあるとき、第４図に示すような処理ルーチンを実行して、それぞれの電源スイッチ３０１の操作状態と、電源及び装置の状態を常時監視し、電源及び装置の状態をＬＥＤ（Ｌ１，Ｌ２，…）により外部表示する。
　この際のＬＥＤの状態表示例を第６図に示す。
　次に、第７図乃至第１１図を参照して、セットアップ及びその関連処理動作を説明する。
　キーボードユニット３６のキー操作で予め定められたセットアップコマンドが入力されると、このコマンド入力に従い、ＣＰＵ１１の制御の下に、第７図に示すセットアップ処理が実行される。この際、ＬＣＤ表示部３７に表示されるセットアップ画面の一構成例を第１１図に示す。
　この実施例のセットアップ処理（又はセットアップウィンドウ）では、先ずシステム再立ち上げを不要とするため、システム再立ち上げフラグをオフした後に、表示自動停止機能の設定変更有無を判断する（第７図ステップＳ１，Ｓ２）。ここで表示当自動停止機能の設定変更を要するときは、表示自動停止機能の“許可”又は“禁止”を設定（レジスタセット）し、更に、表示自動停止機能の許可設定時はその自動停止時間を設定する（第７図ステップＳ３〜Ｓ４）。
　この表示自動停止機能の設定処理（第７図ステップＳ２〜Ｓ４）の後、ノーマル表示／リバース表示の変更有無を判断し、設定変更を要するときは、その表示モードを設定する（第７図ステップＳ５，Ｓ６）。
　この表示設定処理（第７図ステップＳ５，Ｓ６）の後、外部機器接続（Ａ−Ｂ−ＰＲＴ）状態の変更有無を判断し、設定変更を要するときは、その接続状態を設定する（第７図ステップＳ７，Ｓ８）。
　これらの設定処理が終了した後に、システム再立ち上げを必要とするためにシステム再立ち上げフラグをオンにして、他のセットアップ（例えば、レジューム有無、ディスプレイモード、コミュニケーションボードの装置等）処理を実行し、システム再立ち上げが必要であれば、システム再立ち上げを行なってセットアップ処理を終了する。
　上記表示自動停止機能が許可状態にあるときの表示自動停止機能処理フローを第８図に示す。
　ここでは、表示自動停止機能が許可状態にあるとき、キー入力無しの時間をカウントし、その時間が設定時間に達したならば、表示フラグを参照し、表示中であるとき、表示フラグを表示停止状態に設定して、表示停止コマンドをシステムバス１０，電源制御インターフェイス機能をもつメモリコントローラ１７等を介し電源回路３０のパワーコントロールＣＰＵ３０６に送出する。電源回路３０のパワーコントロールＣＰＵ３０６は、メインＣＰＵ１１から表示停止コマンドを受けると、表示停止指示情報をパラレルＩ／Ｏ３０５にセットし、これに伴いバックライトコントロール回路３０８がＬＣＤ表示部３７へのバックライト電流の供給を停止する。又、キー入力があると、キー入力無しの時間をカウントするカウントがクリアされ、表示フラグが表示停止中であるとき、表示フラグを表示中に設定して、表示コマンドを出力する。電源回路３０のパワーコントロールＣＰＵ３０６は、メインＣＰＵ１１から表示コマンドを受けると、表示指示情報をパラレルＩ／Ｏ３０５にセットし、これに伴いバックライトコントロール回路３０８がＬＣＤ表示部３７ヘバックライト電源を供給する。
　このように表示自動停止機能が有効となっている際は、キー入力無しの時間が設定時間に達すると、ＬＣＤ表示部３７へのバックライト電源の供給が断たれて、バックライトが消灯し、その後、キー入力があると、直ちにバックライトが点灯し、入力操作が可能となる。これにより非使用時に於けるバックライトの無駄な消費電力を無くして、バッテリィ動作時に於ける電池寿命を延ばすことができる。又、デモンストレーションプログラムのように、キー入力が全く無い場合は、表示自動停止機能を“禁止”に設定しておくことにより、キー入力が無くても連続的に表示が可能である。
　又、ノーマル表示／リバース表示の変更があるときは、第９図に示す処理が実行される。ここでリバース表示の際は、表示コントローラ２４に設けた反転回路（ＮＯＴ回路）によって表示データが反転された後、ＬＣＤ表示部３７へ供給される。
　この際のノーマル表示／リバース表示の切替え回路の構成を第１７図に示す。
　又、機器接続（Ａ−Ｂ−ＰＲＴ）状態の変更がある際は第１０図に示す機器接続処理ルーチンが実行される。機器接続（Ａ−Ｂ−ＰＲＴ）状態の変更を要するときはシステム再立ち上げを行なう。システム再立ち上げ処理は、セットアップ処理で設定した接続状態（Ａ−Ｂ−ＰＲＴ）のデータを読み、フロッピィディスクドライブ（ＦＤＤ）の接続状態から使用可能フロッピィディスクドライブをセットする。（従来では、一旦、電源を切り、機器接続（Ａ−Ｂ−ＰＲＴ）の操作スイッチを設定して後、電源を入れ、システム立ち上げを行なっていた）。
　このような、ノーマル表示／リバース表示の設定、機器接続（Ａ−Ｂ−ＰＲＴ）状態の設定等をセットアップ処理で行なう構成としたことにより、従来の如く、ノーマル表示／リバース表示の設定スイッチ、機器接続（Ａ−Ｂ−ＰＲＴ）状態の設定スイッチ等を必要とせず、構成を簡素化できる。
　次に第１２図乃至第１５図を参照して電源異常時を含むレジューム処理動作を説明する。
　第１２図に於いて、セットアップ時等に於けるレジューム設定手段により、レジューム機能の“有効／無効”が設定されると、そのレジューム設定内容がメインＣＰＵ１１の管理するレジュームモードフラグに保持され（第１３図参照）、その保持内容がシステムの立ち上げ、動作終了等の度に参照される（第１４図及び第１５図参照）。
　一方、電源回路３０に設けられたパワーコントロールＣＰＵ３０６は、装置電源のオン／オフ状態に拘らず、常時、装置内部の電源状態を監視して、ローバッテリィ状態を含む電源異常を検出すると、電源異常の発生とその内容を示す電源異常情報を電源制御インターフェイス機能をもつメモリコントローラ１７に出力する（第３図及び第４図参照）。
　電源制御インターフェイス機能をもつメモリコントローラ１７は上記電源異常情報を受けると、その電源異常情報の内容に従うＮＭＩ（禁止不可能割り込み）を発生しメインＣＰＵ１１に送出する。
　メインＣＰＵ１１はこのＮＭＩを受け付けると、そのＮＭＩがローバッテリイ状態のＮＭＩであるときは、レジュームモードフラグの内容に拘らず、レジューム機能を起動して、ＣＰＵレジスタ、各種ＬＳＩ情報等を含む状態再現が可能なシステム情報をバックアップＲＡＭ１５に保存する。
　又、通常の動作終了によるＮＭＩ（パワースイッチオフＮＭＩ）に対しては、レジュームモードフラグを参照し、同フラグがオン（“有効”）となっていれば、レジューム処理を実行し、同フラグがオン（“無効”）となっていれば、レジューム処理を実行せず、電源遮断処理（パワーオフ処理）に入る（第１４図参照）。システム立ち上げ時のシステムブート処理ではレジュームモードフラグを参照し、同フラグがオン（“有効”）となっていれば、バックアップＲＡＭの保存情報をもとにシステム情報を復元しシステムへ制御を移す（第１５図参照）。
　第１３図乃至第１５図はそれぞれメインＣＰＵ１１により実行される処理フローを示すフローチャートであり、第１３図はレジューム設定処理ルーチンを示し、第１４図はＮＭＩ処理ルーチンを示し、第１５図はシステムブート処理ルーチンを示す。
　ここで上記第１３図乃至第１５図のフローチャートを参照して電源異常時を含むレジューム処理動作を説明する。
　電源回路３０のパワーコントロールＣＰＵ３０６は電源スイッチ３０１の操作状態を常時監視している。
　即ち、パワーコントロールＣＰＵ３０６は、装置が電源オフ（パワーオフ）状態にあるとき、第３図に示すような処理ルーチンを実行し、装置が電源オン（パワーオン）状態にあるとき、第４図に示すような処理ルーチンを実行して、電源スイッチ３０１の操作状態と、電源及び装置の状態を常時監視している。
　この際、電源制御インターフェイス機能をもつメモリコントローラ１７は、パワーコントロールＣＰＵ３０６から、電源異常情報を受けると、その電源異常情報の内容に従うＮＭＩ（ローバッテリィＮＭＩ，パワースイッチオフＮＭＩ等）を発生し、メインＣＰＵ１１に送出する。
　メインＣＰＵ１１は、電源制御インターフェイス機能をもつメモリコントローラ１７よりパワースイッチオフＮＭＩを受けると、レジューム機能の設定状態を認識し、レジューム設定状態にあるときはバックアップＲＡＭ１５を用いたレジューム処理を終了して後、応答情報を電源制御インターフェイス２８を介してメモリコントローラ１７に返す。
　又、ＮＭＩがローバッテリィ状態のＮＭＩであるときは、レジュームモードフラグの内容に拘らず、レジューム機能を起動して、ＣＰＵレジスタ、各種ＬＳＩ情報等を含む状態再現が可能なシステム情報をバックアップＲＡＭ１５に保存する。
　このように、パワーコントロールＣＰＵ３０６は、装置が電源オフ（パワーオフ）状態にあるとき、第３図に示すような処理ルーチンを実行し、装置が電源オン（パワーオン）状態にあるとき、第４図に示すような処理ルーチンを実行して、それぞれの電源スイッチ３０１の操作状態と、電源及び装置の状態を常時監視し、異常を検出すると、その電源異常情報を電源制御インターフェイス機能をもつメモリコントローラ１７に出力する。
　メモリコントローラ１７は上記電源異常情報を受けると、その電源異常情報の内容に従うＮＭＩ（禁止不可能割り込み）を発生し、メインＣＰＵ１１に送出する。
　メインＣＰＵ１１はこのＮＭＩを受け付けると、第１４図に示すＮＭＩ処理を実行し、そのＮＭＩがローバッテリィ状態のＮＭＩであるときは、レジュームモードフラグの内容に拘らず、レジューム機能を起動して、ＣＰＵレジスタ、各種ＬＳＩ情報等を含む状態再現が可能なシステム情報をバックアップＲＡＭ１５に保存する。
　又、通常の動作終了によるＮＭＩ（パワースイッチオフＮＭＩ）に対しては、レジュームモードフラグを参照し、同フラグがオン（“有効”）となっていれば、レジューム処理を実行し、同フラグがオフ（“無効”）となっていれば、レジューム処理を実行せず、電源遮断処理（パワーオフ処理）に入る。
　システム立ち上げ時に於いては第７図に示すシステムプレート処理を実行して、レジュームモードフラグがオン（“有効”）となっていれば、バックアップＲＡＭの保存情報をもとにシステム情報を復元しシステムへ制御を移す。
　上記したように、ローバッテリィ状態を検出したとき、そのＮＭＩ処理に於いて、レジュームの設定状態を無視してレジューム処理を実行する構成としたので、レジューム機能の設定内容（有効／無効）に拘らず、ローバッテリィ状態等の電源異常が発生したとき、その時点でのデータ保存が確実に行なえ、操作性及び信頼性の向上が図れる。
　尚、この発明による電源制御手段は第１図に示すシステム構成に限らず、他のシステム構成に於いても容易に適用可能である。
［発明の効果］
　以上詳記したように本発明によれば、プログラムが格納されるメモリから命令を得て、システムバスに接続される複数のユニットを制御し、システム全体の制御を司るメインＣＰＵと、マイクロプロセッサを内蔵し、同プロセッサの制御により常時スキャンを行ない、入力情報を非同期に上記メインＣＰＵへ転送するキーボードユニットと、マイクロプロセッサを内蔵し、充電可能なバッテリィでなる電源パックを備えて、上記内蔵マイクロプロセッサに常時電源を供給し、同プロセッサの制御により電源オフ時を含めて電源状態を常時監視し、上記メインＣＰＵとの間で電源及び装置の状態情報を交換し、内蔵バッテリィの充電制御を含む内部電源制御を実行する電源ユニットと、同電源ユニットの電源状態情報に従い装置内部の特定情報が格納されるバックアップメモリと、電源状態を含む装置の状態を表示する複数の表示部とを具備し、特定の表示部は
上記
充電異常の際に異常状態を示す
【図面の簡単な説明】
第１図は本発明の一実施例に於けるシステム構成を示すブロック図、第２図は上記実施例に於ける電源回路の構成を示すブロック図、第３図及び第４図はそれぞれ上記実施例に於けるパワーコントロールＣＰＵの処理フローを示すフローチャート、第５図は本発明の一実施例に於ける装置の外観構成を示したもので、同図（ａ）は表示部筐体が開いた状態を示す斜視図、同図（ｂ）は表示部筐体が閉じた状態を示す斜視図、第６図は本発明の一実施例に於けるＬＥＤの表示状態を示す図、第７図乃至第１０図はそれぞれ上記実施例に於けるセットアップ処理とその関連処理フローを示すフローチャート、第１１図上記実施例に於けるセットアップ画面を示す図、第１２図は上記実施例に於けるレジューム処理を説明するためのブロック図、第１３図乃至第１５図はそれぞれ上記実施例に於けるレジューム処理とその関連処理フローを示すフローチャート、第１６図は上記実施例に於けるＲＡＭの構成を示すブロック図、第１７図はノーマル表示／リバース表示切替え回路を示すブロック図である。
１０……システムバス、１１……ＣＰＵ（メインＣＰＵ）、１２……ＲＯＭ（ＳＹＳ−ＲＯＭ）、１３……ＲＡＭ（ＳＹＳ−ＲＡＭ）、１４……ＳＩ、１４Ａ……ＤＭＡコントローラ（ＤＭＡＣ；Ｄｉｒｅｃｔ　Ｍｅｍｏｒｙ　Ａｃｃｅｓｓ　Ｃｏｎｔｒｏｌｌｅｒ）、１４Ｂ……割込みコントローラ（ＰＩＣ；Ｐｒｏｇｒａｍｍａｂｌｅ　Ｉｎｔｅｒｒｕｐｔ　Ｃｏｎｔｒｏｌｌｅｒ）、１４Ｃ……時計モジュール（ＲＴＣ；Ｒｅａｌ−Ｔｉｍｅ　Ｃｌｏｃｋ）、１４Ｄ……フロッピィディスクコントローラ（ＦＤＣ）、１４Ｅ……入出力インターフェイス（ＵＡＲＴ；Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）、１５……バックアップＲＡＭ、１６……拡張ＲＡＭ、１７……メモリコントローラ（ＥＭＣ）、１８……漢字ＲＯＭ、１９……辞書ＲＯＭ、２１……入出力コントローラ（ＩＯ−ＣＮＴ）、２２……入出力ポート（ＩＯ−ＰＯＲＴ）、２３……キーボードコントローラ（ＫＢＣ）、２４……表示コントローラ（ＤＩＳＰ−ＣＮＴ）、２５……ビデオＲＡＭ（Ｖ−ＲＡＭ）、２９……電源アダプタ（ＡＣアダプタ）、３０……インテリジェントパワーサプライ（電源回路）、３１Ａ……メインバッテリィ（Ｍ−ＢＡＴＴ）、３１Ｂ……サブバッテリィ（Ｓ−ＢＡＴＴ）、３２……フロッピィディスクドライブ（ＦＤＤ）、３３……ＲＳ−２３２Ｃインターフェイス機器、３４……拡張用コネクタ（ＥＸＰ−ＣＮ）、３５……スピーカ（ＳＰＸ）、３６……キーボード（ＫＢ）、３７……ＬＣＤ表示部、３０１……電源スイッチ、３０１ａ……操作釦、３０２……リセットスイッチ、３０３……ディスプレイスイッチ、３０４……拡張ユニット設定スイッチ、３０５……パラレルＩ／Ｏ、３０６……パワーコントロールＣＰＵ、３０７……内部バス、３０８……バックライトコントロール回路、３０９……ＬＥＤドライバ、３１０……Ｄ／Ａ変換器、３１１，３１８……チャージユニット、３１２，３１４……電流検出器、３１５，３１９……ＤＣ−ＤＣコンバータ、３１６……Ａ／Ｄ変換器、３１７……シリアルＩ／Ｏ。